(57)【要約】【課題】容易に成形でき、且つ、径の小さいシリンジへの組み立てが簡単なアダプタ及びアダプタ付きシリンジを提供する。【解決手段】アダプタ１は、筒体３１と、接続体３２と、シリンジ本体側接合部３５とを備えている。筒体３１は、シリンジ２のシリンジ本体１１を内包する。接続体３２は、筒体３１の一端に筒体３１と同軸に設けられ、シリンジ２に設けられたノズル部１５の周囲を囲むロック筒３６と、ロック筒３６の内面に形成されたロック用ねじ部３７とを有している。シリンジ本体側接合部３５は、筒体３１の内面に設けられており、シリンジ本体１１に接合される。そして、接続体３２におけるロック筒３６の外径は、筒体３１の外径と略等しくなっている。【選択図】図３
2012029724.tif 000002
【特許請求の範囲】
【請求項１】
シリンジのシリンジ本体を内包する筒体と、
前記筒体の一端に前記筒体と同軸に設けられ、前記シリンジ本体の一端に設けられたノズル部の周囲を囲むロック筒と、前記ロック筒の内面に形成されたロック用ねじ部とを有する接続体と、
前記筒体の内面に設けられ、前記シリンジ本体に接合されるシリンジ本体側接合部と、を備え、
前記ロック筒の外径は、前記筒体の外径と略等しい
ことを特徴とするアダプタ。
【請求項２】
前記シリンジ本体側接合部は、融着により前記シリンジ本体に固着される
ことを特徴とする請求項１に記載のアダプタ。
【請求項３】
前記筒体の他端に設けられ、前記シリンジ本体の他端に設けられたフランジに接合されるフランジ側接合部を備える
ことを特徴とする請求項１又は２に記載のアダプタ。
【請求項４】
前記筒体の他端に設けられ、前記シリンジの前記フランジが係合される係合体を備え、
前記フランジ側接合部は、前記係合体に設けられる
ことを特徴とする請求項３に記載のアダプタ。
【請求項５】
前記フランジ側接合部は、融着により前記シリンジの前記フランジに接合される
ことを特徴とする請求項３又は４に記載のアダプタ。
【請求項６】
筒状のシリンジ本体と、前記シリンジ本体の一端に設けられたノズル部とを有するシリンジと、
前記シリンジに取り付けられたアダプタと、を備え、
前記アダプタは、
前記シリンジ本体を内包する筒体と、
前記筒体の一端に前記筒体と同軸に設けられ、前記ノズル部の周囲を囲むロック筒と、前記ロック筒の内面に形成されたロック用ねじ部とを有する接続体と、
前記筒体の内面に設けられ、前記シリンジ本体に接合されるシリンジ本体側接合部と、を有し、
前記ロック筒の外径は、前記筒体の外径と略等しい
ことを特徴とするアダプタ付きシリンジ。
【発明の詳細な説明】
【技術分野】
【０００１】
本発明は、医療用具に設けられたメスコネクタにシリンジを接続するためのアダプタ及びそのアダプタを用いたアダプタ付きシリンジに関する。
【背景技術】
【０００２】
医療現場では、シリンジ、注射針、カテーテル、輸液セット等の各種医療用器具を互いに接続して使用することがある。この接続の方法には、例えば、一方の医療用器具の端部に設けられたメスコネクタの内腔部に、他方の医療用器具の端部に設けられたオスコネクタのテーパ部を嵌合させる方法がある。
【０００３】
また、メスコネクタの中には、その外周面にネジ溝（メス側螺合部）が形成されたものがある。このようなメスコネクタに接続されるオスコネクタを備えた医療用器具としては、例えば、特許文献１に開示されている。この特許文献１に開示された医療用器具のオスコネクタには、メスコネクタのネジ溝に螺合するネジ山（オス側螺合部）が形成された接続部材（ロックアダプタ）が設けられている。
【０００４】
一方、医療用器具のうちのシリンジには、径の小さい（細い）ものがある（例えば、非特許文献１参照）。このような径の小さいシリンジは、小容量であり、例えば１ｍＬ程度の薬剤を投与する場合に用いられる。そして、径の小さい小容量のシリンジにおいても、医療用器具の端部に設けられたメスコネクタに接続させて使用することがある。
【先行技術文献】
【特許文献】
【０００５】
【特許文献１】実公平２−１９３号公報
【非特許文献】
【０００６】
【非特許文献１】２００７−２００８テルモ製品案内、テルモ株式会社、２００８年１月、ｐ４１−４２
【発明の概要】
【発明が解決しようとする課題】
【０００７】
しかしながら、メスコネクタのネジ溝に螺合するロックアダプタを、径の小さいシリンジの先端部に設けると、ロックアダプタの径がシリンジの外径よりも大きくなる。そのため、ロックアダプタを備えたシリンジの組み立て時における目盛りの印刷が煩雑で困難なものになるとう問題があった。そのため、シリンジの肉厚を厚くして、シリンジの外径とロックアダプタの外径とを略等しくすることも考えられるが、肉厚の厚いシリンジの成形は困難である。
【０００８】
本発明は、上述の点に鑑み、容易に成形でき、且つ、径の小さいシリンジへの組み立てが簡単なアダプタ及びアダプタ付きシリンジを提供することを目的とする。
【課題を解決するための手段】
【０００９】
上記目的を達成するため、本発明のアダプタは、筒体と、接続体と、シリンジ本体側接合部とを備えている。
筒体は、シリンジのシリンジ本体を内包する。
接続体は、筒体の一端に筒体と同軸に設けられ、シリンジに設けられたノズル部の周囲を囲むロック筒と、ロック筒の内面に形成されたロック用ねじ部とを有している。
シリンジ本体側接合部は、筒体の内面に設けられており、シリンジ本体に接合される。
そして、接続体におけるロック筒の外径は、筒体の外径と略等しくなっている。
【００１０】
また、本発明のアダプタ付きシリンジは、シリンジと、このシリンジに取り付けられたアダプタとを備えている。
シリンジは、筒状のシリンジ本体と、シリンジ本体の一端に設けられたノズル部を有している。
また、アダプタは、筒体と、接続体と、シリンジ本体側接合部とを備えている。
筒体は、シリンジのシリンジ本体を内包する。
接続体は、筒体の一端に筒体と同軸に設けられ、シリンジに設けられたノズル部の周囲を囲むロック筒と、ロック筒の内面に形成されたロック用ねじ部とを有している。
シリンジ本体側接合部は、筒体の内面に設けられており、シリンジ本体に接合される。
そして、接続体におけるロック筒の外径は、筒体の外径と略等しくなっている。
【００１１】
上記構成のアダプタ及びアダプタ付きシリンジでは、アダプタの筒体にシリンジのシリンジ本体が挿入される。このアダプタにおける筒体の外径は、ロック用ねじ部が形成されたロック筒の外径と略等しいため、容易にアダプタを成形することができる。
また、シリンジをアダプタの筒体に挿入し、シリンジ本体側接合部とシリンジ本体を接合するだけで簡単にアダプタ付きシリンジを組み立てることができる。
【発明の効果】
【００１２】
上記構成のアダプタ及びアダプタ付きシリンジよれば、容易に成形でき、且つ、径の小さいシリンジであっても簡単に組み立てることができる。
【図面の簡単な説明】
【００１３】
【図１】本発明のアダプタ付きシリンジの第１の実施の形態を示す斜視図である。
【図２】本発明のアダプタ付きシリンジの第１の実施の形態をシリンジとアダプタに分解した分解斜視図である。
【図３】本発明のアダプタ付きシリンジの第１の実施の形態の断面図である。
【図４】本発明のアダプタ付きシリンジの第１の実施の形態に係るシリンジ本体側接合部を示す断面図である。
【図５】本発明のアダプタ付きシリンジの第１の実施の形態に係るフランジ側接合部を示す断面図である。
【図６】本発明のアダプタ付きシリンジの第２の実施の形態を示す斜視図である。
【図７】本発明のアダプタ付きシリンジの第２の実施の形態に係るフランジ側接合部を示す断面図である。
【発明を実施するための形態】
【００１４】
以下、本発明のアダプタ及びアダプタ付きシリンジの実施形態について、図１〜図７を参照して説明する。なお、各図において共通の部材には、同一の符号を付している。また、本発明は、以下の形態に限定されるものではない。
【００１５】
１．第１の実施の形態
［アダプタ付きシリンジの構成例］
まず、本発明のアダプタ付きシリンジの第１の実施の形態について、図１及び図２を参照して説明する。
図１は、アダプタ付きシリンジの第１の実施の形態を示す斜視図である。
【００１６】
図１に示すように、アダプタ付きシリンジ１は、シリンジ２と、このシリンジ２に固定されるアダプタ３から構成されている。このアダプタ付きシリンジ１は、医療用器具の端部に設けられたメスコネクタ（不図示）に接続可能になっている。
【００１７】
［シリンジ］
次に、シリンジ２について、図２及び図３を参照して説明する。
図２は、アダプタ付きシリンジ１をシリンジ２とアダプタ３に分解した分解斜視図である。図３は、アダプタ付きシリンジ１の断面図である。
【００１８】
図２及び図３に示すように、シリンジ２は、シリンジ本体１１と、シリンジ本体１１内に収納されたガスケット１２と、ガスケット１２に取り付けられたプランジャ１３とを備えている。シリンジ本体１１内には、薬剤が充填される。なお、薬剤をシリンジ本体１１内に予め充填しておくと、シリンジ２は、いわゆるプレフィルドシリンジとなる。
【００１９】
シリンジ本体１１内に充填される薬剤としては、例えば、インフルエンザ等の感染症を予防する各種のワクチン、血液製剤、ブドウ糖等の糖質注射液、塩化ナトリウムや乳酸カリウム等の電解質補正用注射液、ビタミン剤、抗生物質注射液等を挙げることができる。
【００２０】
シリンジ本体１１は、円筒状に形成されている。このシリンジ本体１１の軸方向の一端（先端）には、ノズル部１５が連続しており、他端（基端）には、フランジ１６が設けられている。
シリンジ本体１１の外径は、６〜７ｍｍが好ましく、６．３〜６．９ｍｍがより好ましい。また、シリンジ本体１１の内径は、４〜６ｍｍが好ましく、４．４〜５．１ｍｍがより好ましい。
【００２１】
ノズル部１５は、シリンジ本体１１よりも径の小さい筒体からなり、先端に向かうにつれて連続的に径が小さくなるテーパ状に形成されている。このノズル部１５は、医療用器具の端部に設けられたメスコネクタ（不図示）の内腔部に嵌合される。つまり、ノズル部１５は、医療用器具の端部に設けられたメスコネクタに接続可能なオスコネクタになっている。
【００２２】
シリンジ本体１１の周面には、充填された薬剤の量を確認するための目盛り（不図示）が形成されている。この目盛りは、例えば、シリンジ本体１１の外周面に印刷を施すことで形成される。
また、シリンジ本体１１の先端における周縁には、周方向に連続する切欠き部１１ａが形成されている（図４参照）。この切欠き部１１ａには、アダプタ３の後述するシリンジ本体側接合部３５が当接する。
【００２３】
フランジ１６は、シリンジ本体１１の外周面から略垂直に突出する板状に形成されており、シリンジ本体１１の軸方向に直交する平面１６ａ，１６ｂを有している。このフランジ１６は、アダプタ３の後述する係合体３３に係合される。
【００２４】
フランジ１６におけるシリンジ本体１１側の平面１６ａには、突条部１７が形成されている。この突条部１７は、平面１６ａの周縁に設けられており、フランジ１６の周方向に連続して延びる環状に形成されている。そして、突条部１７には、周方向に連続する係合溝１７ａ（図５参照）が設けられている。この係合溝１７ａには、アダプタ３の後述するフランジ側接合部４３が係合される。
【００２５】
シリンジ本体１１、ノズル部１５及びフランジ１６の構成材料としては、例えば、ポリカーボネート、ポリプロピレン、ポリエチレン等の合成樹脂や、ガラス材料を適用してもよい。なお、シリンジ本体１１は、内部に充填された薬液を視認可能な透明または半透明であることが好ましい。
【００２６】
ガスケット１２は、略円柱状に形成されている。このガスケット１２は、シリンジ本体１１内に摺動可能に収納されており、シリンジ本体１１の内周面に液密に密着しながら移動する。このガスケット１２は、シリンジ本体１１内の空間を仕切っており、シリンジ本体１１内のガスケット１２よりも先端側の空間及びノズル部１５内の空間は、薬液が充填された液室になる。一方、シリンジ本体１１内のガスケット１２よりも基端側の空間には、プランジャ１３が配置される。
【００２７】
ガスケット１２の底面には、プランジャ１３の後述する接続突部２２が挿入される凹部１２ａが設けられている。この凹部１２ａを形成するガスケット１２の内面には、例えば、プランジャ１３の接続突部２２を螺合するためのねじ部が形成されている。
【００２８】
ガスケット１２の構成材料は、特に限定されないが、シリンジ本体１１との液密性を良好にするために弾性材料で構成することが好ましい。この弾性材料としては、例えば、天然ゴム、イソブチレンゴム、シリコーンゴムなどの各種ゴム材料や、オレフィン系、スチレン系等の各種熱可塑性エラストマー、あるいはそれらの混合物等を挙げることができる。
【００２９】
プランジャ１３は、プランジャ本体２１と、接続突部２２と、フランジ片２３とを備えている。
プランジャ本体２１は、略棒状に形成されている。また、フランジ片２３は、プランジャ本体２１の基端に設けられている。このフランジ片２３は、プランジャ本体２１の周面から略垂直に突出するリング状に形成されている。
【００３０】
接続突部２２は、プランジャ本体２１の先端に設けられており、プランジャ本体２１の軸方向に突出している。この接続突部２２は、螺合によりガスケット１２と接続されている。そのため、接続突部２２の外周面には、ガスケット１２のねじ部に螺合されるねじ部が形成されている。なお、接続突部２２とガスケット１２との接続方法は、螺合に限定されるものではなく、例えば、嵌合や接着剤などの接続方法を採用することもできる。
【００３１】
［アダプタ］
次に、アダプタ３について、図２〜図５を参照して説明する。
図４は、アダプタ３に設けられるシリンジ本体側接合部を示す断面図である。図５は、アダプタ３に設けられるフランジ側接合部を示す断面図である。
【００３２】
図２及び図３に示すように、アダプタ３は、円筒状の筒体３１と、筒体３１の一端に設けられた接続体３２と、筒体３１の他端に設けられた係合体３３とを備えている。これら筒体３１、接続体３２及び係合体３３は、一体に形成されている。
【００３３】
アダプタ３の構成材料としては、例えば、ポリカーボネート、ポリプロピレン、ポリエチレン等の合成樹脂や、ガラス材料を適用してもよい。なお、アダプタ３は、内包するシリンジ２のシリンジ本体１１を視認可能な透明または半透明であることが好ましい。
筒体３１の外径は、９〜１１ｍｍが好ましく、９．１〜１０．４ｍｍがより好ましい。また、筒体３１の内径は、６〜８ｍｍが好ましく、６．５〜７．５ｍｍがより好ましい。
【００３４】
筒体３１は、シリンジ２のシリンジ本体１１を内包する。この筒体３１の内径は、シリンジ本体１１の外径と略等しくなっている。
アダプタ３を透明な材料で形成することにより、シリンジ本体１１に設けた目盛りを筒体３１の外側から視認することができる。また、筒体３１がシリンジ本体１１を内包するため、シリンジ本体１１に設けた目盛りに手指が直接触れることが無い。したがって、筒体３１は、目盛りが磨耗して消えることを防止する。
【００３５】
図４に示すように、筒体３１の一端における内面には、筒体３１をシリンジ本体１１に接合するためのシリンジ本体側接合部３５が設けられている。シリンジ本体側接合部３５は、筒体３１の半径内方向に突出する環状に形成されている。このシリンジ本体側接合部３５は、シリンジ本体１１の切欠き部１１ａに当接し、超音波融着又は加熱融着によりシリンジ本体１１の先端に固着されている。
なお、シリンジ本体側接合部３５は、接着剤によってシリンジ本体１１に固着してもよい。
【００３６】
接続体３２は、筒体３１と同軸の円筒状に形成されたロック筒３６と、このロック筒３６の内面に形成されたロック用ねじ部３７から構成されている。ロック用ねじ部３７は、接続対象となる医療用器具におけるメスコネクタ（不図示）の外周面に形成されたねじ部に嵌合可能となっている。
【００３７】
ロック筒３６は、シリンジ２のノズル部１５の周囲を所定の間隔をあけて囲む。このロック筒３６の軸方向の長さは、ノズル部１５の軸方向の長さよりも短くなっている。そのため、ノズル部１５の先端部は、ロック筒３６の開口３６ａから突出した状態になっている。
【００３８】
また、ロック筒３６の外径は、筒体３１の外径と略等しくなっている。そのため、アダプタ３の成形を容易なものにすることができる。また、筒体３１の外周面とロック筒３６の外周面との間に段差が生じないため、アダプタ３を取り扱いやすい形状にすることができる。
【００３９】
図２及び図３に示すように、係合体３３は、筒体３１の外周面から略垂直に突出する板状に形成されており、筒体３１の軸方向に直交する平面３３ａ，３３ｂを有している。この係合体３３は、アダプタ付きシリンジ１を把持する際の把持部としての役割も有している。アダプタ付きシリンジ１を把持する場合は、例えば、人差し指と中指で筒体３１の基端部を挟み込むようにして、両指を係合体３３における筒体３１側の平面３３ａに引っ掛ける。
【００４０】
係合体３３の平面３３ａには、複数の滑り止め用突部４１が形成されている。一方、係合体３３の平面３３ｂには、収納用凹部４２が形成されている。この収納用凹部４２には、シリンジ２のフランジ１６が収納される。収納用凹部４２の平面形状は、フランジ１６の平面形状と相似であり、その深さは、フランジ１６の厚みと略等しくなっている。
【００４１】
図５に示すように、収納用凹部４２の底面には、係合体３３をシリンジ２のフランジ１６に接合するためのフランジ側接合部４３が設けられている。このフランジ側接合部４３は、収納用凹部４２の底面から突出しており、係合体３３の周方向に連続する環状に形成されている。このフランジ側接合部４３は、フランジ１６の突条部１７に設けた係合溝１７ａに係合され、超音波融着又は加熱融着により突条部１７に固着されている。
なお、フランジ側接合部４３は、接着剤によってフランジ１６の突条部１７に固着してもよい。
【００４２】
［アダプタ付きシリンジの組み立て方法］
次に、アダプタ付きシリンジ１の組み立て方法について説明する。
アダプタ付きシリンジ１を組み立てるには、まず、アダプタ３の筒体３１の他端側からシリンジ２を挿入する。
これにより、シリンジ２におけるノズル部１５の先端部が、アダプタ３に設けたロック筒３６の開口３６ａから突出し、アダプタ３のシリンジ本体側接合部３５がシリンジ本体１１の切欠き部１１ａに当接する。また、シリンジ２のフランジ１６がアダプタ３の係合体３３に設けた収納用凹部４２に収納され、係合体３３のフランジ側接合部４３がフランジ１６の突条部１７に設けた係合溝１７ａに係合される。
【００４３】
次に、シリンジ本体側接合部３５をシリンジ本体１１の先端に超音波融着により固着し、フランジ側接合部４３をフランジ１６の突条部１７に超音波融着により固着する。これにより、アダプタ３とシリンジ２が接合され、アダプタ付きシリンジ１の組み立てが完了する。
【００４４】
本実施の形態のアダプタ付きシリンジ１では、アダプタ３の筒体３１にシリンジ２のシリンジ本体１１が内包される。筒体３１の一端には、ロック用ねじ部３７が形成されたロック筒３６が設けられており、ロック筒の外径は、筒体の外径と略等しい。したがって、シリンジ本体１１の径が小さくても、アダプタ３のロック筒３６を容易に成形することができる。しかも、筒体３１の外周面とロック筒３６の外周面との間に段差が生じないため、アダプタ３を取り扱いやすい形状にすることができる。
【００４５】
また、シリンジ本体側接合部３５をシリンジ本体１１に固着し、フランジ側接合部４３をフランジ１６の突条部１７に固着するだけで簡単にアダプタ付きシリンジ１を組み立てることができる。
【００４６】
上述した第１の実施の形態では、シリンジ本体側接合部３５をシリンジ本体１１の切欠き部１１ａに当接させて融着させる構成とした。しかしながら、本実施の形態に係るシリンジ本体側接合部としては、シリンジ本体の任意の位置に融着させることができる。なお、シリンジ本体の肉厚を考慮すると、リンジ本体側接合部は、シリンジ本体の先端部に融着することが好ましい。
【００４７】
また、上述した第１の実施の形態では、フランジ側接合部４３をシリンジ２のフランジ１６に設けた突条部１７に融着させる構成とした。しかしながら、本実施の形態に係るフランジ側接合部としては、シリンジにおけるフランジの任意の位置に融着させることができる。例えば、係合体３３に設けた収納用凹部４２の側面にフランジ側接合部を設け、シリンジにおけるフランジの側部に融着させてもよい。
【００４８】
２．第２の実施の形態
［アダプタ付きシリンジの構成例］
次に、本発明のアダプタ付きシリンジの第２の実施の形態について、図６及び図７を参照して説明する。
図６は、アダプタ付きシリンジの第２の実施の形態を示す斜視図である。図７は、アダプタ付きシリンジの第２の実施の形態に係るフランジ側接合部を示す断面図である。
【００４９】
第２の実施の形態のアダプタ付きシリンジ５１は、第１の実施の形態のアダプタ付きシリンジ１と同様の構成を備えている。アダプタ付きシリンジ５１がアダプタ付きシリンジ１と異なるところは、アダプタ５３の係合体６３のみである。そのため、ここでは、係合体６３について説明する。
【００５０】
［アダプタ］
アダプタ５３は、円筒状の筒体３１と、筒体３１の一端に設けられた接続体３２と、筒体３１の他端に設けられた係合体６３とを備えている。これら筒体３１、接続体３２及び係合体６３は、一体に形成されている。
【００５１】
アダプタ５３の構成材料としては、例えば、ポリカーボネート、ポリプロピレン、ポリエチレン等の合成樹脂や、ガラス材料を適用してもよい。なお、アダプタ５３は、内包するシリンジ２のシリンジ本体１１を視認可能な透明または半透明であることが好ましい。
【００５２】
係合体６３は、筒体３１の外周面から略垂直に突出する板状に形成されており、筒体３１の軸方向に直交する平面６３ａ，６３ｂを有している。この係合体６３は、第１の実施の形態の係合体３３と同様に、アダプタ付きシリンジ５１を把持する際の把持部となる。
【００５３】
係合体６３の平面６３ａには、複数の滑り止め用突部４１が形成されている。一方、係合体６３の平面６３ｂには、複数のフランジ側接合部６４が形成されている。図７に示すように、各フランジ側接合部６４は、係合体６３における平面６３ｂの周縁部から略垂直に突出する立上り片６４ａと、この立上り片６４ａの先端に設けられた係合爪６４ｂからなっている。
【００５４】
フランジ側接合部６４の立上り片６４ａは、シリンジ２におけるフランジ１６の側部に当接し、係合爪６４ｂは、フランジ１６の平面１６ｂに係合する。このように複数のフランジ側接合部６４がシリンジ２のフランジ１６に係合することにより、係合体６３は、シリンジ２のフランジ１６に接合される。
【００５５】
［アダプタ付きシリンジの組み立て方法］
次に、アダプタ付きシリンジ５１の組み立て方法について説明する。
アダプタ付きシリンジ５１を組み立てるには、まず、アダプタ５３の筒体３１の他端側からシリンジ２を挿入する。
これにより、シリンジ２におけるノズル部１５の先端部が、アダプタ５３に設けたロック筒３６の開口３６ａから突出し、アダプタ５３のシリンジ本体側接合部３５がシリンジ本体１１の切欠き部１１ａに当接する。また、アダプタ３の係合体３３に設けた複数のフランジ側接合部６４がシリンジ２のフランジ１６に係合される。その結果、アダプタ３とシリンジ２が接合され、アダプタ付きシリンジ５１の組み立てが完了する。
【００５６】
本実施の形態のアダプタ付きシリンジ５１においても、第１の実施の形態のアダプタ付きシリンジ１と同様に、シリンジ本体１１の径が小さくても、アダプタ５３のロック筒３６を容易に成形することができる。
【００５７】
また、シリンジ本体側接合部３５をシリンジ本体１１の切欠き部１１ａに当接させ、係合体３３に設けた複数のフランジ側接合部６４をシリンジ２のフランジ１６に係合させるだけで簡単にアダプタ付きシリンジ５１を組み立てることができる。しかも、アダプタ付きシリンジ５１の組み立てを特殊な工具や機械を用いずに行うことができるため、医療現場でシリンジ２とアダプタ３の組み立てを行うこともできる。
【００５８】
上述した第２の実施の形態では、平面６３ｂの周縁部から略垂直に突出する立上り片６４ａと、この立上り片６４ａの先端に設けられた係合爪６４ｂからなるフランジ側接合部６４により係合体６３をシリンジ２のフランジ１６に接合した。しかしながら、本発明に係るフランジ側接合部としては、シリンジのフランジが圧入されて嵌合する嵌合凹部にしてもよい。
【００５９】
本発明は、上述しかつ図面に示した実施の形態に限定されるものではなく、特許請求の範囲に記載した発明の要旨を逸脱しない範囲内で種々の変形実施が可能である。例えば、上述した実施の形態では、アダプタ３（５３）に係合体３３（６３）を設ける構成としたが、本発明に係るアダプタとしては、筒体３１と、接続体３２から構成してもよい。この場合は、筒体３１の他端（接続体３２とは反対側の端部）をフランジ側接合部とし、融着や接着剤等の固着方法によりシリンジのフランジに接合する。
また、筒体３１の内面とシリンジ本体１１の外周面との嵌合のみでシリンジ２とアダプタ３（５３）とを固定するものであってもよい。
【００６０】
また、上述した実施の形態では、アダプタ３（５３）の筒体３１の内径を、シリンジ本体１１の外径と略等しくして、筒体３１の内面とシリンジ本体１１の外周面との間に間隙が生じないように構成した。しかしながら、本発明に係るアダプタの筒体としては、その内径がシリンジ本体の外径よりも大きければよく、筒体の内面とシリンジ本体の外周面との間に間隙が生じていてもよい。これにより、製造時に一つのサイズのアダプタに、容量の異なるシリンジを適選して用いることができる。
【符号の説明】
【００６１】
１，５１…アダプタ付きシリンジ、  ２…シリンジ、  ３，５３…アダプタ、  １１…シリンジ本体、  １１ａ…切欠き部、  １２…ガスケット、  １３…プランジャ、  １５…ノズル部、  １６…フランジ、  １７…突条部、  １７ａ…係合溝、  ２１…プランジャ本体、  ２２…接続突部、  ２３…フランジ片、  ３１…筒体、  ３２…接続体、  ３３，６３…係合体、  ３５…シリンジ本体側接合部、  ３６…ロック筒、  ３７…ロック用ねじ部、  ４１…滑り止め用突部、  ４２…収納用凹部、  ４３，６４…フランジ側接合部、  ６４ａ…立上り片、  ６４ｂ…係合爪
【図１】
2012029724.tif 000003
【図２】
2012029724.tif 000004
【図３】
2012029724.tif 000005
【図４】
2012029724.tif 000006
【図５】
2012029724.tif 000007
【図６】
2012029724.tif 000008
【図７】
2012029724.tif 000009